【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
Ｍ個（Ｍは２以上の整数）の画素を有する画素領域内の各画素値をＮビット（Ｎは正の整数）で、２Nステップのデータに量子化するデジタル画像処理装置であって、
前記画素領域全体のデータの小数点以下の値の確率で、前記Ｍ個の画素の内の各画素値を１増加又は減少させることにより、前記画素領域全体のデータの小数点以下の値を表現することを特徴とするデジタル画像処理装置。
【請求項２】
１からＭステップ、又は１から（Ｍ／整数）ステップまでの乱数と前記画素領域全体のデータの小数点以下の値を比較し、前記乱数が前記小数点以下の値よりも小さい場合に、前記画素値を１増加又は減少させることを特徴とする請求項１に記載のデジタル画像処理装置。
【請求項３】
デジタル画像の所定領域内の画素データから、画素データの量子化ステップの１ステップよりも高い精度を持つレベルシフト値を求めるレベルシフト装置であって、
前記レベルシフト値の量子化ステップの１ステップ未満の部分に応じた確率で画素データから量子化の１ステップ分を加算もしくは減算することを特徴とするレベルシフト装置。
【請求項４】
前記レベルシフト値の量子化ステップの１ステップ未満の部分と、一様な乱数とを比較することで前記量子化ステップの１ステップ未満の部分に応じた確率で画素データから量子化の１ステップ分を加算もしくは減算することを特徴とする請求項３に記載のレベルシフト装置。
【請求項５】
画像データの量子化ステップの１ステップよりも高い精度でクランプレベルを算出するデジタルクランプ装置であって、
前記クランプレベルの量子化ステップの１ステップ未満のデータに応じた確率で、画素データから量子化の１ステップ分を減算することを特徴とするデジタルクランプ装置。
【請求項６】
前記クランプレベルの量子化ステップの１ステップ未満のデータと、一様な乱数とを比較することで、前記量子化ステップの１ステップ未満のデータに応じた確率で画素データから量子化の１ステップ分を減算することを特徴とする請求項５に記載のデジタルクランプ装置。
【請求項７】
Ｍ個（Ｍは２以上の整数）の画素を有する画素領域内の各画素値をＮビット（Ｎは正の整数）で、２Nステップのデータに量子化するデジタル画像処理方法であって、
前記画素領域全体のデータの小数点以下の値の確率で、前記Ｍ個の画素の内の各画素値を１増加又は減少させることにより、前記画素領域全体のデータの小数点以下の値を表現することを特徴とするデジタル画像処理方法。
【請求項８】
１からＭステップ、又は１から（Ｍ／整数）ステップまでの乱数と前記画素領域全体のデータの小数点以下の値を比較し、前記乱数が前記小数点以下の値よりも小さい場合に、前記画素値を１増加又は減少させることを特徴とする請求項７に記載のデジタル画像処理方法。
【請求項９】
デジタル画像の所定領域内の画素データから、画素データの量子化ステップの１ステップよりも高い精度を持つレベルシフト値を求めるレベルシフト方法であって、
前記レベルシフト値の量子化ステップの１ステップ未満の部分に応じた確率で画素データから量子化の１ステップ分を加算もしくは減算することを特徴とするレベルシフト方法。
【請求項１０】
前記レベルシフト値の量子化ステップの１ステップ未満の部分と、一様な乱数とを比較することで前記量子化ステップの１ステップ未満の部分に応じた確率で画素データから量子化の１ステップ分を加算もしくは減算することを特徴とする請求項９に記載のレベルシフト方法。
【請求項１１】
画像データの量子化ステップの１ステップよりも高い精度でクランプレベルを算出するデジタルクランプ方法であって、
前記クランプレベルの量子化ステップの１ステップ未満のデータに応じた確率で、画素データから量子化の１ステップ分を減算することを特徴とするデジタルクランプ方法。
【請求項１２】
前記クランプレベルの量子化ステップの１ステップ未満のデータと、一様な乱数とを比較することで、前記量子化ステップの１ステップ未満のデータに応じた確率で画素データから量子化の１ステップ分を減算することを特徴とする請求項１１に記載のデジタルクランプ方法。
【請求項１３】
請求項７又は８に記載のデジタル画像処理方法をコンピュータに実行させるためのプログラム。
【請求項１４】
請求項９又は１０に記載のレベルシフト方法をコンピュータに実行させるためのプログラム。
【請求項１５】
請求項１１又は１２に記載のデジタルクランプ方法をコンピュータに実行させるためのプログラム。
【請求項１６】
請求項１３に記載のプログラムを記憶したコンピュータ読み取り可能な記憶媒体。
【請求項１７】
請求項１４に記載のプログラムを記憶したコンピュータ読み取り可能な記憶媒体。
【請求項１８】
請求項１５に記載のプログラムを記憶したコンピュータ読み取り可能な記憶媒体。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】変更
【補正の内容】
【００１７】
また、本発明に係わるレベルシフト装置は、デジタル画像の所定領域内の画素データから、画素データの量子化ステップの１ステップよりも高い精度を持つレベルシフト値を求めるレベルシフト装置であって、前記レベルシフト値の量子化ステップの１ステップ未満の部分に応じた確率で画素データから量子化の１ステップ分を加算もしくは減算することを特徴とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
また、本発明に係わるデジタルクランプ装置は、画像データの量子化ステップの１ステップよりも高い精度でクランプレベルを算出するデジタルクランプ装置であって、前記クランプレベルの量子化ステップの１ステップ未満のデータに応じた確率で、画素データから量子化の１ステップ分を減算することを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
また、本発明に係わるデジタル画像処理方法は、Ｍ個（Ｍは２以上の整数）の画素を有する画素領域内の各画素値をＮビット（Ｎは正の整数）で、２Nステップのデータに量子化するデジタル画像処理方法であって、前記画素領域全体のデータの小数点以下の値の確率で、前記Ｍ個の画素の内の各画素値を１増加又は減少させることにより、前記画素領域全体のデータの小数点以下の値を表現することを特徴とする。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
また、本発明に係わるレベルシフト方法は、デジタル画像の所定領域内の画素データから、画素データの量子化ステップの１ステップよりも高い精度を持つレベルシフト値を求めるレベルシフト方法であって、前記レベルシフト値の量子化ステップの１ステップ未満の部分に応じた確率で画素データから量子化の１ステップ分を加算もしくは減算することを特徴とする。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
また、本発明に係わるデジタルクランプ方法は、画像データの量子化ステップの１ステップよりも高い精度でクランプレベルを算出するデジタルクランプ方法であって、前記クランプレベルの量子化ステップの１ステップ未満のデータに応じた確率で、画素データから量子化の１ステップ分を減算することを特徴とする。
【手続補正１２】
【補正対象書類名】明細書
【補正対象項目名】００２６
【補正方法】削除
【補正の内容】